(57)【要約】【課題】  目地部が狭くなるとともに、左右の躯体が異なる前後方向に揺れ動くような地震が発生した場合であっても、構造物や目地カバーが破損することなく地震による揺れ動きを吸収できる屋上用目地カバー装置を提供すること。【解決手段】  左右の躯体間の目地部をカバーする屋上用目地カバー装置であって、一方の躯体に設けられた水切りカバーと、該水切りカバーの上部にその突出端部が位置し、一方その基端部が他方の躯体の外壁に取付けられた目地カバーと、この目地カバーと前記水切りカバーの間に設けられた防水手段と、前記他方の躯体の外壁にヒンジ部材を介してそれぞれ回動可能に設けられているとともに、前記目地カバーの前後方向の両側部に位置する１対の端部カバーを備え、前記端部カバーは、切り欠き部を有する端部カバー本体と、前記切り欠き部に設けられた回転板と、該回転板を一方の躯体側へ付勢する回転板用付勢手段と、前記回転板の回転範囲を制限する回転制限機構とからなることを特徴とする。【選択図】  図１
2019060136.tif 000002
【特許請求の範囲】
【請求項１】
左右の躯体間の目地部をカバーする屋上用目地カバー装置であって、
一方の躯体に設けられた水切りカバーと、該水切りカバーの上部にその突出端部が位置し、一方その基端部が他方の躯体の外壁に取付けられた目地カバーと、この目地カバーと前記水切りカバーの間に設けられた防水手段と、前記他方の躯体の外壁にヒンジ部材を介してそれぞれ回動可能に設けられているとともに、前記目地カバーの前後方向の両側部に位置する１対の端部カバーを備え、
前記端部カバーは、切り欠き部を有する端部カバー本体と、前記切り欠き部に設けられた回転板と、該回転板を一方の躯体側へ付勢する回転板用付勢手段と、前記回転板の回転範囲を制限する回転制限機構とからなることを特徴とする屋上用目地カバー装置。
【請求項２】
前記端部カバーの下方には、更に壁面用目地装置を備えることを特徴とする請求項１に記載の屋上用目地カバー装置。
【請求項３】
回転板は、フレーム部材と、該フレーム部材の少なくとも上面を覆う板部材とで構成されていることを特徴とする請求項１又は請求項２のいずれかに記載の屋上用目地カバー装置。
【発明の詳細な説明】
【技術分野】
【０００１】
本発明は目地部を介して設けられた躯体の間の目地部を塞ぐ屋上用目地カバー装置に関する。
【背景技術】
【０００２】
従来の屋上用目地カバー装置は、一方の建物のパラペットに取付けられた目地部側が略垂直上方へ突出する防水カバー支持片が形成されたクランク状の水切りカバーと、この水切りカバーの上部を略覆うように高い他方の建物の外壁に一端部が取付けられ、かつ、他端部に下方へ突出する側板を有する目地カバーと、この目地カバーの前記側板と前記水切りカバーとの間より内部に水が浸入するのを阻止する防水手段と、目地カバーの前後方向の側面に設けられ、先端部が外方へ回動できる端部カバーとで構成されたものが開示されている（特許文献１）。
【０００３】
このような屋上用目地カバー装置では、左右の躯体が異なる前後方向に揺れ動きた場合には、端部カバーがヒンジ部材を支点に回動し、揺れ動きを吸収するものである。
しかしながら、屋上用目地カバー装置の設置場所付近（地震による左右の躯体の揺れ動き幅の最大値のぎりぎりの位置）に構造物が存在する場合、目地部が狭くなりつつ、左右の躯体が異なる前後方向に揺れ動くような地震が発生した場合には、回動した端部カバーが構造物に衝突し、端部カバー又は構造物が破損するおそれがあった。
【先行技術文献】
【特許文献】
【０００４】
【特許文献１】特開２０１５−２１２４６５号公報
【発明の概要】
【発明が解決しようとする課題】
【０００５】
本発明は以上のような従来の欠点に鑑み、目地部が狭くなるとともに、左右の躯体が異なる前後方向に揺れ動くような地震が発生した場合であっても、構造物や目地カバーが破損することなく地震による揺れ動きを吸収できる屋上用目地カバー装置を提供することを目的としている。
【０００６】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００７】
上記目的を達成するために、本発明の屋上用目地カバー装置は、左右の躯体間の目地部をカバーする屋上用目地カバー装置であって、一方の躯体に設けられた水切りカバーと、該水切りカバーの上部にその突出端部が位置し、一方その基端部が他方の躯体の外壁に取付けられた目地カバーと、この目地カバーと前記水切りカバーの間に設けられた防水手段と、前記他方の躯体の外壁にヒンジ部材を介してそれぞれ回動可能に設けられているとともに、前記目地カバーの前後方向の両側部に位置する１対の端部カバーを備え、前記端部カバーは、切り欠き部を有する端部カバー本体と、前記切り欠き部に設けられた回転板と、該回転板を一方の躯体側へ付勢する回転板用付勢手段と、前記回転板の回転範囲を制限する回転制限機構とからなることを特徴とする。
【発明の効果】
【０００８】
以上の説明から明らかなように、本発明にあっては次に列挙する効果が得られる。
（１）請求項１に記載の発明においては、切り欠き部を有する端部カバー本体と、該端部カバー本体の前記切り欠き部に回転可能に設けられた回転板を備えているので、地震によって目地部が狭くなるとともに、左右の躯体が異なる前後方向に揺れ動いた場合でも、端部カバーの突出部分が構造物等に当接しても回転板が回転し、地震による揺れ動きを吸収することができる。
したがって、屋上用目地カバー装置や構造物を破損させることなく、地震による揺れ動きを吸収することができる。
（２）請求項２に記載の発明においても、前記（１）と同様な効果が得られると共に、壁面用目地装置によって側部から目地部内に雨水等が侵入することを防止することができる。
（３）請求項３に記載の発明においても、前記（１）〜（２）と同様な効果が得られると共に、強度を確保しながら軽量化を図ることができる。
【図面の簡単な説明】
【０００９】
図１乃至図９は本発明の第１の実施形態を示す説明図である。
図１０及び図１１は本発明の第２の実施形態を示す説明図である。
【図１】第１の実施形態を示す屋上用目地カバー装置の平面図（通常時）。
【図２】図１の２−２線に沿う断面図。
【図３】図１の３−３線に沿う断面図。
【図４】水切りカバーの説明図。
【図５】目地カバーの説明図。
【図６】端部カバーの説明図。
【図７】地震で目地部が狭くなった正面視側からの動作説明図。
【図８】地震で目地部が広くなった正面視側からの動作説明図。
【図９】地震で左右の躯体が異なる前後方向に揺れ動くとともに、目地部が狭くなった平面視側からの動作説明図。
【図１０】第２の実施形態を示す屋上用目地カバー装置の平面図。
【図１１】図１０の１１−１１線に沿う断面図。
【発明を実施するための形態】
【００１０】
以下、図面に示す本発明を実施するための形態により、本発明を詳細に説明する。
図１乃至図９に示す本発明を実施するための第１の形態において、１は目地部２を介して設けられた一方の躯体３及び他方の躯体４間に設置された屋上用目地カバー装置である。
なお、左右方向とは図１（平面視）における左右方向であり、前後方向とは図１における上下方向、上下方向とは図２における上下方向をいう。
【００１１】
また、本発明において躯体とは、建物、道路、スラブ、エレベーターシャフト等の目地プレートを設置可能な建造物をいい、出入口とはドアや扉の設けられた出入口だけではなく、人や車両等が通行できる通路も含むものである。
【００１２】
本実施形態の屋上用目地カバー装置１は、図１乃至図３に示すように、一方の躯体３のパラペット５に設けられた水切りカバー６と、該水切りカバー６の一方の躯体３側の端部付近にその突出端部７ａが位置し、他方の躯体４の外壁４ａに基端部７ｂが取付けられた目地カバー７と、この目地カバー７と前記水切りカバー６の間に設けられた防水手段８と、他方の躯体４の外壁４ａにヒンジ部材９を介して回動可能に設けられ、前記目地カバー７の前後方向の両側部に位置する１対の端部カバー１０とで構成されている。
【００１３】
水切りカバー６は、図４に示すように、一方の躯体３の目地部２側の上面、本実施形態においては一方の躯体３のパラペット５の上面に固定され、上面６ｃが傾斜面状に形成されている。この水切りカバー６の一方の躯体３側（目地部２の反対側）の端部は、パラペット５の内側壁面５ａに当接するように、下方へ突出する誘導側壁６ａを備えており、一方、目地部２側の側面には、略垂直に上方へ突出する状態で延在する側壁６ｂを有している。
【００１４】
本実施形態では、パラペット５を備える一方の躯体３の屋上部分には、地震による揺れ動きによって目地カバー７が一方の躯体３側へ最大限移動した場合に位置する部位付近に、構造物１１（例えば屋上への出口等）の壁面１１ａが位置している。
【００１５】
この水切りカバー６は、パラペット５の上部に複数本のアンカーボルト等で、所定間隔を隔てて複数個設けられた水切りカバー取付具１２を介して方の躯体３のパラペット５の上面に固定される。
【００１６】
なお、本実施形態では、一方の躯体３のパラペット５に水切りカバー６を設置しているが、パラペット５ではなく、一方の躯体３の外壁３ａに目地部側に突出するように形成された外部通路等の外壁部分の上部に水切りカバー６を設置し、本願の屋上用目地カバー１を設置してもよい。このように外部通路等の外壁部分に屋上用目地カバー１を設置する場合には、外部通路等の外壁部分から一方の躯体３の外壁３ａまでの距離は、地震による揺れ動きによって目地カバー７が一方の躯体３側へ最大限移動する距離を確保することが望ましい。
【００１７】
目地カバー７は、図２に示すように、他方の建物４の壁面４ａに複数本のタッピングビス等によって所定間隔で固定された複数個の支持アーム１３支持されるとともに、他方の躯体４の壁面４ａに取付端部が固定され、目地部２をカバーするものである。
この目地カバー７は、図５に示すように、上面が傾斜面状に形成されており、その突出端部７ａは、本実施形態においては水切りカバー６の一方の躯体３側の端部付近に位置する。また、目地カバー７の突出端部７ａには略垂直に下方に突出する側壁１４が設けられている。この側壁１４には、水切りカバー６の上面に当接するゴム製のカバー片１５を設けることが望ましい。
【００１８】
防水手段８は、水切りカバー６の側壁６ｂに一端部が固定され、その他端部が目地カバー７の側壁１４に架け渡すように固定された防水シート１６と、該防水シート１６を保持する防水シート保持装置１７とで構成されている。この防水シート保持装置１７は、防水シート１６を吊り下げる複数個の防水シート支持具１８と、該防水シート支持具１８に一端部がそれぞれ接続されたワイヤー１９と、このワイヤー１９の他端部に接続され、ワイヤー１９を引っ張るように付勢し、防水シート支持具１８を所定の位置に位置させる防水シート用付勢具２０とで構成されている。この防水シート用付勢具２０は他方の躯体４の壁面４ａに固定されており、ワイヤー１９部分が滑車２１を介して防水シート支持具１８に接続されている。
【００１９】
目地カバー７の前後方向の両側には、ヒンジ部材９を介して回動する端部カバー１０が設けられている。
【００２０】
この端部カバー１０は、先端部が斜めに切り欠かれた切り欠き部２２を有する端部カバー本体２３と、該端部カバー本体２３の前記切り欠き部２２に回転可能に設けられた回転板２４と、該回転板２４を一方の躯体３側へ押すように付勢する回転板用付勢手段２５と、前記回転板２４が所定角度以上一方の躯体３側へ回動しないように回動を制限する回転制限機構２６とで構成されている。
【００２１】
端部カバー本体２３は、平面視略直角台形状に形成されており、この斜辺部分が切り欠き部２２に相当する。この切り欠き部２３には、通常状態において端部カバー１０が平面視略長方形状となるように回転板２４が取り付けられている。
【００２２】
この回転板２４は、端部カバー本体２３の切り欠き部２２の端部付近に回転軸２７を介して回転可能に端部カバー本体２３に取り付けられている。本実施形態では回転軸として、丁番２７を用いている。
【００２３】
回転板用付勢手段２５は、本実施形態では、端部カバー本体２３の底面に固定されたスプリングケース３３と、このスプリングケース３３に収納された付勢スプリング３４と、該付勢スプリング３４に一端部が押圧され、その他端部が回転板２４を押圧する押し棒３５とで構成されている。
【００２４】
なお、回転板用付勢手段２５として、単に付勢スプリングで回転板２４を押圧するものでもよい。
【００２５】
ここで、端部カバー本体２３及び回転板２４は、本実施形態ではフレーム部材２８と、このフレーム部材２８の上面を覆う板部材２９で構成されており、付勢スプリング２５は端部カバー本体２３と回転板２４のフレーム部材２８同士を接続して付勢している。
この回転板用付勢手段２５は、回転板２４を一方の躯体側へ押すように付勢するものである。
【００２６】
回転制限機構２６は本実施形態ではワイヤー２６を用いており、所定角度以上に回転板２４が一方の躯体３側へ回転することを防止している。
【００２７】
なお、回転制限機構２６としては、本実施形態のようなワイヤー２６に限られず、例えば端部カバー本体２３に係止片を形成し、回転板２４に被係止片を形成して、これらが係止することにより所定角度以上に回転板２４が一方の躯体３側へ回転することを防止してもよい。
【００２８】
また、端部カバー１０は、通常状態において目地カバー７の前後方向の側面に当接するように、端部カバー用付勢手段３０によって引っ張るように付勢されている。この端部カバー用付勢手段３０は、本実施形態では付勢スプリング２９で、この付勢スプリング３０は、その一端部が他方の躯体４の外壁４ａに固定され、他端部が端部カバー１０の端部カバー本体２３に固定されている。
【００２９】
この端部カバー１０の下部には、左右方向に伸縮する壁面用目地装置３１を設けることが望ましい。この壁面用目地装置３１は公知の壁面用目地装置を用いることができるので、ここではその説明は割愛する。
【００３０】
なお、本実施形態では、地震で左右の躯体３、４が異なる前後方向に揺れ動いた際、端部カバー１０は壁面用目地装置３１に押圧されることにより、端部カバー用付勢手段３０の付勢力に抗してヒンジ部材９を支点に前後方向の外側へ回動するものであるが、例えば、パラペット５等の前後方向の壁面（一方の躯体の前後方向の壁面）に押圧されて端部カバー１０が回動するように構成してもよい。
【００３１】
上記構成において、地震で躯体３、４が左右方向に揺れ動き目地部２が狭くなると、例えば図７に示すように、目地カバー７が一方の躯体３側へ突出するようにスライド移動し、地震による揺れ動きを吸収する。
【００３２】
一方、地震で躯体３、４が左右方向に揺れ動き目地部２が広くなると、図８に示すように、目地カバー７が他方の躯体４側へスライド移動し、地震による揺れ動きを吸収することができる。
【００３３】
地震で左右の躯体３、４が異なる前後方向に揺れ動くとともに、目地部が狭くなった場合には、端部カバー１０が壁面用目地装置３１に押圧されることにより、端部カバー用付勢手段３０の付勢力に抗してヒンジ部材９を支点に前後方向の外側へ回動すると共に、回転板２４が構造物１１に当接・押圧され、回転板用付勢手段２５の付勢力に抗して回転軸２７を支点に他方の躯体４側へ回転して地震による揺れ動きを吸収する。
【００３４】
このように回転板２４が回転することにより、屋上用目地カバー１や構造物１１等を破損させることなく地震による揺れ動きを吸収することができる。
【００３５】
地震による揺れ動きが終了すると、回転板２４は回転板用付勢手段２５の付勢力によって通常時の位置に復帰すると共に、端部カバー１０も端部カバー用付勢手段２９の付勢力によって通常時の位置に復帰する。
【００３６】
[発明を実施するための異なる形態]
次に、図１０及び図１１に示す本発明を実施するための異なる形態につき説明する。なお、これらの本発明を実施するための異なる形態の説明に当って、前記本発明を実施するための第１の形態と同一構成部分には同一符号を付して重複する説明を省略する。
図１０及び図１１に示す本発明を実施するための第２の形態において、前記本発明を実施するための第１の形態と主に異なる点は、内包する重り３２によって下端部が通常時において常時水切りカバー６の上面６ｃに当接する防水シート１６を用いた防水手段８Ａにした点で、このような屋上用目地カバー装置１Ａにしても、前記本発明を実施するための第１の形態と同様の作用効果を得ることができる。
【００３７】
なお、本発明の実施形態では、端部カバー本体及び回転板をフレーム部材と板部材で構成したものについて説明したが、単に板部材のみで構成された端部カバー本体及び回転板を用いてもよいし、回転板のみフレーム部材と板部材で構成されたものを用いてもよい。
また、本発明の実施形態では、回転板が端部カバー本体の下部に潜り込むように回転する形態について説明したが、回転板が端部カバー本体の上方に重なり合うように構成してもよい。
【産業上の利用可能性】
【００３８】
本発明は屋上用目地カバー装置を製造する産業で利用される。
【符号の説明】
【００３９】
１、１Ａ：屋上用目地カバー装置、    ２：目地部、
３：一方の躯体、                    ４：他方の躯体、
５：パラペット、                    ６：水切りカバー、
７：目地カバー、                    ８、８Ａ：防水手段、
９：ヒンジ部材、                    １０：端部カバー、
１１：構造物、                      １２：水切りカバー取付具、
１３：支持アーム、                  １４：側壁、
１５：カバー片、                    １６：防水シート、
１７：防水シート保持装置、          １８：防水シート支持具、
１９：ワイヤー、                    ２０：防水シート用付勢具、
２１：滑車、                        ２２：切り欠き部、
２３：端部カバー本体、              ２４：回転板、
２５：回転板用付勢手段、            ２６：回転制限機構、
２７：回転軸、                      ２８：フレーム部材、
２９：板部材、                      ３０：端部カバー用付勢手段、
３１：壁面用目地装置、              ３２：重り、
３３：スプリングケース、            ３４：付勢スプリング、
３５：押し棒。
【図１】
2019060136.tif 000003
【図２】
2019060136.tif 000004
【図３】
2019060136.tif 000005
【図４】
2019060136.tif 000006
【図５】
2019060136.tif 000007
【図６】
2019060136.tif 000008
【図７】
2019060136.tif 000009
【図８】
2019060136.tif 000010
【図９】
2019060136.tif 000011
【図１０】
2019060136.tif 000012
【図１１】
2019060136.tif 000013